(57)【要約】【課題】パッケージハウス内におけるメンテナンス空間を縮小し、電気装置の収納効率向上を図ることができる電気設備を得る。【解決手段】電気設備１００は、外部に開口し、第１の電気装置１のメンテナンス面１ａの大きさよりもわずかに大きい開口部５１を有するパッケージハウス１０と、パッケージハウス１０の内部に収納され、一側面にメンテナンス面１ａを有する第１の電気装置１とを有している。第１の電気装置１のメンテナンス面１ａは、開口部５１を利用してパッケージハウス１０の外部からアクセス可能な位置に配置されている。【選択図】図１
2016042760.tif 000002
【特許請求の範囲】
【請求項１】
外部に開口した開口部を有するパッケージハウスと、
前記パッケージハウス内に収納され、前記開口部に配置されたメンテナンス面を有する電気装置と
を備えたことを特徴とする電気設備。
【請求項２】
前記電気装置は、前記メンテナンス面を互いに反対向きに向けて複数配置したことを特徴とする請求項１に記載の電気設備。
【請求項３】
前記電気装置は、前記メンテナンス面を同一面側に向けて複数配置したことを特徴とする請求項１に記載の電気設備。
【請求項４】
前記開口部を開閉する開閉扉を設けたことを特徴とする請求項１から３いずれか１項に記載の電気設備。
【請求項５】
前記開閉扉に前記電気装置の操作用扉を設けたことを特徴とする請求項４に記載の電気設備。
【請求項６】
前記開閉扉に前記電気装置の点検用窓を設けたことを特徴とする請求項４または５に記載の電気設備。
【発明の詳細な説明】
【技術分野】
【０００１】
この発明は、パッケージハウス内に電気装置を収納した電気設備に関する。
【背景技術】
【０００２】
従来の電気設備においては、電気装置のメンテナンスが必要なため、パッケージハウス内部にメンテナンス空間を確保した形で電気装置を収納している（例えば、特許文献１参照）。
【先行技術文献】
【特許文献】
【０００３】
【特許文献１】特開２０１３−２７１８８号公報（図１）
【発明の概要】
【発明が解決しようとする課題】
【０００４】
従来の電気設備は、上記のようにパッケージハウス内部に電気装置の収納スペース以外にメンテナンス空間を必要としているので、電気装置の収納スペースが少なくなり、電気装置の収納効率向上の妨げになっていた。
【０００５】
この発明は、上記の点に着目してなされたもので、パッケージハウス内における電気装置の収納効率向上を図ることができる電気設備を得ることを目的としている。
【課題を解決するための手段】
【０００６】
この発明に係る電気設備は、外部に開口した開口部を有するパッケージハウスと、このパッケージハウス内に収納され、開口部に配置されたメンテナンス面を有する電気装置とを備えたものである。
【発明の効果】
【０００７】
この発明によれば、パッケージハウス内における電気装置のメンテナンス空間が縮小され、電気装置の収納効率向上を図ることができる。
【図面の簡単な説明】
【０００８】
【図１】この発明の実施の形態１を示す電気設備の平面図である。
【図２】この発明の実施の形態１を示す電気設備の側面図である。
【図３】この発明の実施の形態１を示す電気設備の正面図である。
【図４】この発明の実施の形態２を示す電気設備の平面図である。
【図５】この発明の実施の形態２を示す電気設備の側面図である。
【図６】この発明の実施の形態３を示す電気設備の平面図である。
【図７】この発明の実施の形態３を示す電気設備の側面図である。
【図８】この発明の実施の形態３を示す電気設備の正面図である。
【発明を実施するための形態】
【０００９】
実施の形態１．
図１乃至図３はこの発明の実施の形態１における電気設備を示すものである。電気設備１００は、図１および図２に示すように、直方体をなしたパッケージハウス１０と、このパッケージハウス１０の内部に長手方向に並んで収納され、それぞれ一側面にメンテナンス面１ａ、２ａを有する第１および第２の電気装置１、２とを有している。パッケージハウス１０の一方の長側面１０ａには、外部に開口し、第１の電気装置１のメンテナンス面１ａの大きさよりわずかに大きい開口部５１が設けられている。第１の電気装置１のメンテナンス面１ａは、パッケージハウス１０の内側面１０ｅと同一面上に配置されている。なお、パッケージハウス１０は、例えば幅２．４ｍ、奥行き１２ｍの標準サイズのコンテナであり、土台となる高さ約１．５ｍの支柱７０の上に設置されている。
【００１０】
また、パッケージハウス１０の一方の長側面１０ａには、開口部５１を開閉する開閉扉６１が設けられている。パッケージハウス１０の短側面１０ｂ、１０ｄには作業員等が利用するための出入口９０が設けられている。また、開口部５１の外側には、支柱７０と同じ高さである鋼鉄製のステージ８１が設置されている。このステージ８１は、常に設置されているわけではなく、メンテナンス時など、必要に応じて設置されるものである。
【００１１】
開閉扉６１は、図３に示すように、ハンドル６１ｃを用いて開閉を行う観音開き式の扉となっている。また、開閉扉６１には第１の電気装置１の操作用扉６１ａが設けられており、この操作用扉６１ａを介して第１の電気装置１の操作を行うことが可能である。また、開閉扉６１には点検用窓６１ｂが設けられており、この点検用窓６１ｂから第１の電気装置１の状態を点検することが可能である。なお、開閉扉６１は、通常時には閉扉されており、メンテナンス時など、必要に応じて開扉される。
【００１２】
第１の電気装置１は、筐体と奥行寸法が長い内部機器（図示せず）とを有している。この奥行寸法が長い内部機器は、例えばスイッチギヤである。第２の電気装置２は、筐体と奥行寸法が短い内部機器（図示せず）とを有している。この奥行寸法が短い内部機器は、例えば分電盤である。それぞれのメンテナンス面１ａ、２ａには、図示はしないが電気装置の状態を示す表示部、メンテナンス時に電気装置の操作を行うためのコントロールパネル、筐体から内部機器を取り出すためのメンテナンス用ハッチなどが設けられている。メンテナンス時には、それぞれのメンテナンス面１ａ、２ａの前方にメンテナンス空間Ｍ１、Ｍ２が形成される。
【００１３】
なお、本発明において、メンテナンスとは、電気装置の筐体から内部機器を取り出すことなく、作業者が電気装置の外部から行う簡易なメンテナンスと、電気装置の筐体から内部機器をパッケージハウス１０の外部に取り出して行う全面的なメンテナンスの双方を含む。
【００１４】
上記実施の形態１においては、第１の電気装置１のメンテナンス面１ａがパッケージハウス１０の内側面１０ｅと同一面上に配置されているため、簡易なメンテナンスの場合には、開閉扉６１を開扉することにより、作業者はステージ８１上で開口部５１を介してパッケージハウス１０の外部から第１の電気装置１のメンテナンスを行うことができる。また、全面的なメンテナンスの場合には、作業者は開口部５１から第１の電気装置１の内部機器をステージ８１上に取り出し、パッケージハウス１０の外部で第１の電気装置１のメンテナンスを行うことができる。このように、パッケージハウス１０の内部にメンテナンス空間を形成せずして、簡易なメンテナンス、全面的なメンテナンスいずれの場合においても、ステージ８１上に形成されたメンテナンス空間Ｍ１において、第１の電気装置１のメンテナンスを容易に行うことができる。なお、第２の電気装置２のメンテナンス空間Ｍ２はパッケージハウス１０の内部に形成される。また、上記実施の形態１では、第１の電気装置１のメンテナンス面１ａはパッケージハウス１０の内側面１０ｅと同一面上に配置されているが、これに限らず開口部５１を利用してパッケージハウス１０の外部からアクセス可能な位置に配置されていればよい。
【００１５】
上記実施の形態１によれば、パッケージハウス内に収納された第１の電気装置のメンテナンス面をパッケージハウスの内側面と同一面上に配置したことにより、パッケージハウスの内部にメンテナンス空間を形成せずして第１の電気装置のメンテナンスをパッケージハウスの外部から行うことができる。このため、パッケージハウス内に第１の電気装置のメンテナンス空間を形成する必要はなく、パッケージハウス内における電気装置のメンテナンス空間を縮小することができる。これにより、パッケージハウスのサイズを変更することなく収納スペースを大きくすることができ、電気装置の収納効率向上を図ることができる。
【００１６】
また、開閉扉に電気装置の操作用扉を設けたことにより、外部から電気装置の操作もできる。
【００１７】
更に、開閉扉に電気装置の点検用窓を設けたことにより、外部から電気装置の点検も行うことができる。
【００１８】
また、開口部の開閉扉を観音開き式にしているが、開口部の開閉は引き戸式にしてもよいし、ハッチのような跳ね上げ式でもよい。また、開閉扉以外に代えてシャッターや取り外し可能なパネルを設けてもよい。
【００１９】
また、パッケージハウスの土台に合わせてステージを設置しているが、ステージは必須ではない。また、鋼鉄製のステージに限らず、コンクリート製でもよい。
【００２０】
実施の形態２．
図４、図５はこの発明の実施の形態２における電気設備を示すものである。図４、図５において、図１乃至図３と同一または相当部分については同一符号を付している。電気設備２００は、図４および図５に示すように、直方体をなしたパッケージハウス２０と、このパッケージハウス２０の内部に収納され、それぞれのメンテナンス面２１ａ、２２ａを互いに反対向きに配置された２つの第２の電気装置２１、２２とを有している。パッケージハウス２０の一方の長側面２０ａおよび他方の長側面２０ｃには、それぞれ外部に開口し、第２の電気装置２１、２２のメンテナンス面２１ａ、２２ａの大きさよりわずかに大きい開口部５２１、５２２が設けられている。第２の電気装置２１、２２のメンテナンス面２１ａ、２２ａは、それぞれパッケージハウス２０の内側面２０ｅと同一面上に配置されている。
【００２１】
また、パッケージハウス２０の一方の長側面２０ａ、他方の長側面２０ｃには、開口部５２１、５２２を開閉する開閉扉６２１、６２２が設けられている。パッケージハウス２０の短側面２０ｂ、２０ｄには作業員等が利用するための出入口９０が設けられている。また、開口部５２１、５２２の外側には、支柱７０と同じ高さである鋼鉄製のステージ８２１、８２２が設置されている。このステージ８２１、８２２は、常に設置されているわけではなく、メンテナンス時など、必要に応じて設置されるものである。
【００２２】
開閉扉６２１、６２２は、図は省略するが実施の形態１の開閉扉６１と同様に、ハンドル６２１ｃ、６２２ｃを用いて開閉を行う観音開き式の扉となっている。第２の電気装置２１、２２の操作用扉６２１ａ、６２２ａおよび点検用窓６２１ｂ、６２２ｂが設けられている点も実施の形態１の開閉扉６１と同様である。なお、開閉扉６２２、６２２は通常時には閉扉されており、メンテナンス時など、必要に応じて開扉される。
【００２３】
上記実施の形態２においては、第２の電気装置２１、２２のメンテナンス面２１ａ、２２ａがそれぞれパッケージハウス２０の内側面２０ｅと同一面上に配置されているため、上記実施の形態１と同様にメンテナンス時にはそれぞれの開閉扉６２１、６２２を開扉することにより、ステージ８２１、８２２上にそれぞれ形成されたメンテナンス空間Ｍ２１、Ｍ２２において、簡易なメンテナンスおよび全面的なメンテナンスを行うことができる。なお、上記実施の形態２では、第２の電気装置２１、２２のメンテナンス面２１ａ、２２ａはパッケージハウス２０の内側面２０ｅと同一面上に配置されているが、これに限らずそれぞれ開口部５２１、５２２を利用してパッケージハウス２０の外部からアクセス可能な位置に配置されていればよい。
【００２４】
上記実施の形態２によれば、２つの第２の電気装置をパッケージハウスに収納し、それぞれのメンテナンス面を互いに反対向きに配置したことにより、パッケージハウス内における電気装置のメンテナンス空間を更に縮小することができ、電気装置の収納効率向上を図ることができる。
【００２５】
実施の形態３．
図６乃至図８はこの発明の実施の形態３における電気設備を示すものである。図６乃至図８において、図１乃至図３と同一または相当部分については同一符号を付している。電気設備３００は、図６および図７に示すように、直方体をなしたパッケージハウス３０と、このパッケージハウス３０の内部に収納された１つの第１の電気装置１と２つの第２の電気装置２１、２２とを有している。第２の電気装置２１、２２はそれぞれのメンテナンス面２１ａ、２２ａを互いに反対向きに配置され、第１の電気装置１のメンテナンス面１ａと一方の第２の電気装置２１のメンテナンス面２１ａは同一面側に向けて配置されている。パッケージハウス３０の一方の長側面３０ａおよび他方の長側面３０ｃには、それぞれ外部に開口する開口部５１、５２１および５２２が設けられている。第１の電気装置１のメンテナンス面１ａ、一方の第２の電気装置２１のメンテナンス面２１ａおよび他方の第２の電気装置２２のメンテナンス面２２ａは、それぞれパッケージハウス３０の内側面３０ｅと同一面上に配置されている。
【００２６】
また、パッケージハウス３０の一方の長側面１０ａおよび他方の長側面１０ｃには、開口部５１、５２１および５２２をそれぞれ開閉する開閉扉６１、６２１、６２２がそれぞれ設けられている。パッケージハウス３０の短側面３０ｂ、３０ｄには作業員等が利用するための出入口９０が設けられている。また、開口部５１、５２１および５２２の外側には、支柱７０と同じ高さである鋼鉄製のステージ８１、８２１、および８２２が設置されている。なお、開閉扉６１、６２１および６２２は通常時には閉扉されており、メンテナンス時など、必要に応じて開扉される。また、ステージ８１、８２１、８２２は常に設置されているわけではなく、メンテナンス時など、必要に応じて設置される。
【００２７】
上記実施の形態３においては、第１の電気装置１、第２の電気装置２１、２２のメンテナンス面１ａ、２１ａ、２２ａが、それぞれパッケージハウス３０の内側面３０ｅと同一面上に配置されているため、上記実施の形態１と同様に、メンテナンス時にはそれぞれの開閉扉６１、６２１、６２２を開扉することにより、ステージ８１、８２１、８２２上にそれぞれ形成されたメンテナンス空間Ｍ１、Ｍ２１、Ｍ２２において、簡易なメンテナンスおよび全面的なメンテナンスを行うことができる。なお、上記実施の形態３では、第１の電気装置１、第２の電気装置２１、２２のメンテナンス面１ａ、２１ａ、２２ａはパッケージハウス３０の内側面３０ｅと同一面上に配置されているが、これに限らずそれぞれ開口部５１、５２１、５２２を利用してパッケージハウス３０の外部からアクセス可能な位置に配置されていればよい。
【００２８】
上記実施の形態３によれば、１つの第１の電気装置と２つの第２の電気装置を収納し、２つの第２の電気装置はそれぞれのメンテナンス面を互いに反対向きに配置し、第１の電気装置と一方の第２の電気装置はそれぞれのメンテナンス面を同一面側に向けて配置したことにより、パッケージハウス内における電気装置のメンテナンス空間を更に縮小することができ、電気装置の収納効率向上を図ることができる。
【符号の説明】
【００２９】
１、２、２１、２２  電気装置、１ａ、２ａ、２１ａ、２２ａ  メンテナンス面、１０、２０、３０  パッケージハウス、５１、５２１、５２２  開口部、６１、６２１、６２２  開閉扉、６１ａ、６２１ａ、６２２ａ  操作用扉、６１ｂ、６２１ｂ、６２２ｂ  点検用窓、１００、２００、３００  電気設備。
【図１】
2016042760.tif 000003
【図２】
2016042760.tif 000004
【図３】
2016042760.tif 000005
【図４】
2016042760.tif 000006
【図５】
2016042760.tif 000007
【図６】
2016042760.tif 000008
【図７】
2016042760.tif 000009
【図８】
2016042760.tif 000010